(57)【要約】  【課題】      パッケージ対象物を簡単に包装することのできる、パッケージ方法およびパッケージを提供する。  【解決手段】  パッケージ１０は、パッケージ対象物１２が載置される四角形のシート状の底面構成部１４と、底面構成部１４の対向する２つの辺から延びてパッケージ対象物１２の側部１２ａを覆う２つのシート状の側面構成部１６と、パッケージ対象物１２の上部１２ｂを覆う帯状の上面構成部１８とを備えており、パッケージ対象物１２を包装する際には、（ａ）底面構成部１４の上にパッケージ対象物１２を載置し、（ｂ）側面構成部１６によってパッケージ対象物１２の側部１２ａを覆い、その後、（ｃ）上面構成部１８によってパッケージ対象物１２の上部１２ｂを覆うとともに、接着部２０を底面構成部１４の下面に接着する。【選択図】      図２
2006111318.tif 000002
【特許請求の範囲】
【請求項１】
パッケージ対象物が載置される四角形のシート状の底面構成部と、前記底面構成部の対向する２つの辺から延びて前記パッケージ対象物の側部を覆う２つのシート状の側面構成部と、前記パッケージ対象物の上部を覆う帯状の上面構成部とを備えるパッケージを用いたパッケージ方法であって、
（ａ）前記底面構成部の上面に前記パッケージ対象物を載置し、
（ｂ）前記側面構成部によって前記パッケージ対象物の側部を覆い、
（ｃ）前記上面構成部によって前記パッケージ対象物の上部を覆う、パッケージ方法。
【請求項２】
一枚のシート状部材を折り曲げることによって構成されるパッケージであって、
パッケージ対象物が載置される四角形の底面構成部と、前記底面構成部の対向する２つの辺から延びて前記パッケージ対象物の側部を覆う２つの側面構成部と、前記底面構成部の他の一辺から延びて前記パッケージ対象物の上部を覆う帯状の上面構成部とを備える、パッケージ。
【発明の詳細な説明】
【技術分野】
【０００１】
本発明は、羊かん等の菓子やその他のパッケージ対象物を簡単に包装することのできる、パッケージ方法およびパッケージに関する。
【背景技術】
【０００２】
商品のパッケージには、消費者の注意を惹いて需要を喚起する効果があるため、商品を販売する際には、パッケージで商品を包装（パッケージ）することが一般に行われている（特許文献１）。しかし、菓子等の小型のパッケージ対象物を一つずつ個別に包装する場合には、パッケージを組み立てる手間が過大となるため、構造が複雑なパッケージではコスト面から適用が困難であった。
【特許文献１】実開平７−４３１１号
【発明の開示】
【発明が解決しようとする課題】
【０００３】
それゆえに、本発明の主たる目的は、パッケージ対象物を簡単に包装することのできる、パッケージ方法およびパッケージを提供することである。
【課題を解決するための手段】
【０００４】
請求項１に記載した発明は、「パッケージ対象物１２が載置される四角形のシート状の底面構成部１４と、底面構成部１４の対向する２つの辺から延びてパッケージ対象物１２の側部１２ａを覆う２つのシート状の側面構成部１６と、パッケージ対象物１２の上部１２ｂを覆う帯状の上面構成部１８とを備えるパッケージ１０を用いたパッケージ方法であって、（ａ）底面構成部１４の上面にパッケージ対象物１２を載置し、（ｂ）側面構成部１６によってパッケージ対象物１２の側部１２ａを覆い、（ｃ）上面構成部１８によってパッケージ対象物１２の上部１２ｂを覆う、パッケージ方法」である。
【０００５】
この発明では、底面構成部１４と側面構成部１６と上面構成部１８とを備える単純な構造のパッケージ１０を用いてパッケージ対象物１２を簡単に包装することができる。
【０００６】
請求項２に記載した発明は、「一枚のシート状部材を折り曲げることによって構成されるパッケージ１０であって、パッケージ対象物１２が載置される四角形の底面構成部１４と、底面構成部１４の対向する２つの辺から延びてパッケージ対象物１２の側部１２ａを覆う２つの側面構成部１６と、底面構成部１４の他の一辺から延びてパッケージ対象物１２の上部１２ｂを覆う帯状の上面構成部１８とを備える、パッケージ１０」である。
【０００７】
この発明では、底面構成部１４と側面構成部１６と上面構成部１８とがシート状部材で一体に構成されているので、構造が単純であり、パッケージ対象物１２を簡単に包装することができる。
【発明の効果】
【０００８】
請求項１および２に記載した発明によれば、パッケージの構造が単純であり、パッケージ対象物を簡単に包装することができる。
【発明を実施するための最良の形態】
【０００９】
本発明が適用されたパッケージ１０（図１）は、図２に示すように、羊かん等の菓子やその他のパッケージ対象物１２を包装するのに用いられるものであり、一枚のシート状部材（紙またはプラスチックシート等）を折り曲げることによって構成される。なお、図１は、シート状部材を折り曲げる前の状態を示した展開図であり、図１中の一点鎖線が折り目Ｌ１、Ｌ２およびＬ３である。
【００１０】
より詳細に説明すると、パッケージ１０（図１）は、パッケージ対象物１２（図２）が載置される四角形の底面構成部１４と、底面構成部１４の対向する２つの辺から延びてパッケージ対象物１２の側部１２ａを覆う２つの側面構成部１６と、底面構成部１４の他の一辺から延びてパッケージ対象物１２の上部１２ｂを覆う帯状の上面構成部１８とを備えている。また、上面構成部１８の先端には、底面構成部１４の下面に接着される接着部２０が設けられている。
【００１１】
そして、底面構成部１４と各側面構成部１６との境界には折り目Ｌ１が形成されており、底面構成部１４と上面構成部１８との境界には折り目Ｌ２が形成されており、上面構成部１８と接着部２０との境界には折り目Ｌ３が形成されており、これらの折り目Ｌ１、Ｌ２およびＬ３において側面構成部１６、上面構成部１８および接着部２０が折り曲げられる。
【００１２】
底面構成部１４および側面構成部１６の大きさは、パッケージ対象物１２の底面および側面より大きく設定されており（図２（Ａ））、上面構成部１８の大きさは、２つの側面構成部１６を折り曲げたときに（図２（Ｂ））、側面構成部１６間に生じた「隙間」または「重なり部」を覆うことのできるように設定されている。また、側面構成部１６の形状は、特に限定されるものではないが、この実施例では、パッケージ対象物１２の取り出しが容易なように略半円形状に設定されている。
【００１３】
パッケージ１０を用いてパッケージ対象物１２を包装する際には、まず、図２（Ａ）に示すように、底面構成部１４の上面にパッケージ対象物１２を載置し、続いて、図２（Ｂ）に示すように、側面構成部１６によってパッケージ対象物１２の側部１２ａを覆う。そして、図２（Ｃ）に示すように、上面構成部１８によってパッケージ対象物１２の上部１２ｂを覆うとともに、接着部２０を底面構成部１４の下面に接着する。
【００１４】
パッケージ１０を用いてパッケージ対象物１２を包装すると、パッケージ対象物１２の底面および側面が底面構成部１４および側面構成部１６によって覆われるとともに、側面構成部１６が上面構成部１８によって押さえられる。上面構成部１８は、パッケージ対象物１２の上面に帯状に延びて配置されるため（図２（Ｃ））、上面構成部１８の上面に文字や図柄を記載した場合には、看者の注意を強く惹くことができ、優れた需要喚起効果を奏することができる。
【００１５】
なお、上述の実施例では、底面構成部１４と上面構成部１８とが一体に構成されている場合を示したが、これらは、図３に示すように、別体に構成されてもよい。この場合には、上面構成部１８の両端部に接着部２０が設けられ、各接着部２０が底面構成部１４の下面に接着される。
【図面の簡単な説明】
【００１６】
【図１】パッケージを示す斜視図である。
【図２】パッケージ方法を示す工程図である。
【図３】他のパッケージを示す斜視図である。
【符号の説明】
【００１７】
１０…  パッケージ
１２…  パッケージ対象物
１４…  底面構成部
１６…  側面構成部
１８…  上面構成部
２０…  接着部
【図１】
2006111318.tif 000003
【図２】
2006111318.tif 000004
【図３】
2006111318.tif 000005